(57)【特許請求の範囲】
【請求項１】
第１の記録媒体に記録された画像情報を記録手段で所定の順番で第２の記録媒体に記録し、画像情報の記録された第２の記録媒体を往復移動する振分手段で複数列に振り分け、振り分けた第２の記録媒体を搬送処理装置で並列に搬送しながら所定の処理を行う記録媒体の処理方法であって、
第１の記録媒体から得た画像のアスペクト比、又は指定されたアスペクト比に基づき第２の記録媒体の搬送方向の長さを演算し、その演算結果から同一オーダー内における第２の記録媒体の全搬送長が最短となり、かつ並列搬送状態での複数列間における第２の記録媒体の搬送方向後端の順序が第１の記録媒体に記録された画像情報順と一致するように画像の記録順序、及び振分列の少なくとも一方を変更する、ことを特徴とする記録媒体の処理方法。
【請求項２】
第２の記録媒体を複数列に振り分けて並列搬送する搬送パターンを記憶しておき、記憶した搬送パターンを基にして、搬送処理装置から排出される第２の記録媒体を排出方向と交差する方向に沿って往復移動する集積手段の所定位置で順次集積する、ことを特徴とする請求項１に記載の記録媒体の処理方法。
【請求項３】
第２の記録媒体を複数オーダー処理する際には、オーダー間で集積手段を所定の一方向に、第２の記録媒体の集積手段の移動方向に沿った方向の幅Ｗ以上移動することを特徴とする請求項２に記載の記録媒体の処理方法。
【発明の詳細な説明】
【０００１】
【産業上の利用分野】
本発明は、記録媒体の処理装置に係り、記録媒体を複数列に振り分けて並列搬送処理する記録媒体の処理方法に関する。
【０００２】
【従来の技術】
画像を焼き付けた感光材料（印画紙）を画像駒毎に切断し、切断した感光材料を複数列に分配して並列に現像処理することにより、処理能力を増大する方法が特開昭６０−２３３４３号に提案されている。
【０００３】
この方法によれば、狭幅感光材料の処理能力を上げ、かつ、広幅感光材料まで処理可能になるという利点が生まれる。
【０００４】
【発明が解決しようとする課題】
しかし、この処理装置では、現像処理された印画紙をソーターへ駒番号順に集積させるために、現像処理部の後に各々の印画紙の排出タイミングをとるゲートを設けており搬送系の機構が複雑化している。
【０００５】
本発明は上記事実を考慮し、搬送系の構造の簡略化につながる記録媒体の処理方法を提供することが目的である。
【０００６】
【課題を解決するための手段】
請求項１に記載の発明は、第１の記録媒体に記録された画像情報を記録手段で所定の順番で第２の記録媒体に記録し、画像情報の記録された第２の記録媒体を往復移動する振分手段で複数列に振り分け、振り分けた第２の記録媒体を搬送処理装置で並列に搬送しながら所定の処理を行う記録媒体の処理方法であって、第１の記録媒体から得た画像のアスペクト比、又は指定されたアスペクト比に基づき第２の記録媒体の搬送方向の長さを演算し、その演算結果から同一オーダー内における第２の記録媒体の全搬送長が最短となり、かつ並列搬送状態での複数列間における第２の記録媒体の搬送方向後端の順序が第１の記録媒体に記録された画像情報順と一致するように画像の記録順序、及び振分列の少なくとも一方を変更する、ことを特徴としている。
【０００７】
請求項２に記載の発明は、請求項１に記載の記録媒体の処理方法において、第２の記録媒体を複数列に振り分けて並列搬送する搬送パターンを記憶しておき、記憶した搬送パターンを基にして、搬送処理装置から排出される第２の記録媒体を排出方向と交差する方向に沿って往復移動する集積手段の所定位置で順次集積する、ことを特徴としている。
【０００８】
また、請求項３に記載の発明は、請求項２に記載の記録媒体の処理方法において、第２の記録媒体を複数オーダー処理する際には、オーダー間で集積手段を所定の一方向に、第２の記録媒体の集積手段の移動方向に沿った方向の幅Ｗ以上移動することを特徴としている。
【０００９】
【作用】
請求項１に記載の発明では、第１の記録媒体から得た画像のアスペクト比、又は指定されたアスペクト比に基づき第２の記録媒体の搬送方向の長さを演算し、その演算結果から同一オーダー内における第２の記録媒体の全搬送長が最短となり、かつ並列搬送状態での複数列間における第２の記録媒体の搬送方向後端の順序が第１の記録媒体に記録された画像情報順と一致するように画像の記録順序、及び振分列の少なくとも一方が変更される。
このようにして振り分けられた第２の記録媒体を搬送処理装置で並列に搬送すると、搬送処理装置から排出される第２の記録媒体の順番が第１の記録媒体に記録された画像情報順と一致する。
【００１０】
請求項２に記載の発明では、第２の記録媒体を複数列に振り分けて並列搬送する搬送パターンを記憶する。そして、記憶した搬送パターンを基にして、集積手段が第２の記録媒体を排出方向と交差する方向に沿って往復移動し、搬送処理装置から排出される第２の記録媒体が集積手段の所定位置で順次集積される。
【００１１】
また、請求項３に記載の発明では、所定のオーダーの第２の記録媒体が集積されると、集積手段が所定の一方向に、第２の記録媒体の集積手段の移動方向に沿った方向の幅Ｗ以上移動する。このため、搬送処理排出側の集積手段には、第２の記録媒体の集積されていない位置で次のオーダーの第２の記録手段を集積することができる。これを繰り返すことで、複数オーダーの第２の記録媒体を間隔を開けて集積手段に順次集積させることができる。
【００１２】
【実施例】
本発明の一実施例を図に基づいて説明する。
【００１３】
図１には写真プリンタであるプリンタプロセッサ１０の概略が示されている。このプリンタプロセッサ１０のプリンタ部を構成する写真焼付部１２は、第２の記録媒体としての印画紙Ｐが収納されたペーパマガジン１４を装填できるような構造となっている。
【００１４】
このペーパマガジン１４の図１上、左上側には、印画紙Ｐの先端部付近が巻き掛けられる駆動ローラ１６が回転自在に支持されており、写真焼付部１２内の図示しないモータの駆動力をこの駆動ローラ１６が受けて回転する。また、駆動ローラ１６に対向した位置には、印画紙Ｐを介して一対のニップローラ１８が配置されている。この為、駆動ローラ１６がこれらニップローラ１８との間で印画紙Ｐを挟持して、印画紙Ｐを写真焼付部１２内へ送り出すことになる。
【００１５】
他方、写真焼付部１２内には、上下一対の刃からなると共にモータ２０によりの刃が移動されるカッタ２２が設置されており、ペーパマガジン１４から出て来た印画紙Ｐをこのカッタ２２が即座に切断することになる。
【００１６】
図２及び図３に示すように、カッタ２２に対して右側である印画紙Ｐの搬送方向下流側には、上面が水平方向（図２上、左右方向）に沿うように形成された支持台４６が、搬送方向に沿って２個配置されている。
【００１７】
支持台４６の両側には、搬送装置としての無端ベルト４４の巻き掛けられる巻掛ローラ５２が水平方向に配置されている。上流側及び下流側の巻掛ローラ５２の上側には、巻掛ローラ５２との間で無端ベルト４４を挟持するニップローラ５４が配置されている。巻掛ローラ５２は、図示しないモータの駆動力によって駆動回転され、無端ベルト４４を図１上、時計回転方向に回転させる。なお、無端ベルト４４上が本発明の露光ステージに相当する。
【００１８】
図３に示すように、無端ベルト４４にはその全域に亘って多数の小孔４８が形成されており、この無端ベルト４４の一部が載置される支持台４６の上面には、無端ベルト４４の小孔に対応して多数の孔部（図示せず）が形成されている。
【００１９】
この支持台４６の内部は空洞状に形成されており、無端ベルト４４の幅方向両端に対応して形成された一対の連通ダクト６６がこの支持台４６に接続されている。これらの連通ダクト６６は、吸引ファン６８が設けられたファンボックス７０へと接続されている。
【００２０】
両支持台４６の間には、印画紙Ｐを無端ベルト４４の搬送方向とは直交する方向に移動させるための振分手段としての振分機構５０が設けられている。
【００２１】
振分機構５０は、両支持台４６の間に配設される振分用吸着手段としての吸引部５６を備えている。この吸引部５６は巻掛ローラ５２に沿って長く形成された箱であり、上面には全域に亘って多数の小孔（図示せず）が形成されている。
【００２２】
吸引部５６には、ダクト５８が接続されており、このダクト５８は、図１に示すように、吸引ファン６０を備えたファンボックス６２へと接続されている。
【００２３】
吸引部５６は、図示しないモータ機構によって巻掛ローラ５２の軸方向に沿って移動できるようになっている。
【００２４】
なお、吸引部５６を移動させるモータ機構、吸引ファン６０及び吸引ファン６８は、プリンタプロセッサ１０の外枠を構成するケーシング１０Ａ内に備えられた制御装置としてのコントローラ４３で制御される。
【００２５】
他方、図１に示される如く、支持台４６上を移動する無端ベルト４４の上部には、イーゼル装置６４が設けられており、縁有画像を印画紙Ｐ上に焼付露光する場合に、このイーゼル装置６４内の図示しない可動片で印画紙Ｐの周囲を覆うようになっている。
【００２６】
また、ケーシング１０Ａの上部には、イーゼル装置６４の直上の位置に、光を拡散する拡散ボックス２８が配置されており、その右隣に、それぞれ光路への挿入フィルタ量を変え得るよう移動可能なＣ、Ｍ、Ｙの３組のフィルタから構成されるＣＣフィルタ２４が配置されている。従って、このＣＣフィルタ２４に隣合って位置する光源２６から照射された光線がＣＣフィルタ２４を通過した後、拡散ボックス２８により拡散されつつ屈曲されて、直下に送られることになる。そして、このケーシング１０Ａの上面に載置されているネガキャリア３０上の第１の記録媒体としてのネガフィルムＮをこの光線が透過する。
【００２７】
なお、本実施例のネガフィルムＮは、一般的な１３５サイズのネガフィルムであり、各々の画像のパーフォレーション側には、周知のように駒番号や駒番号に対応するバーコード等が付与されている。
【００２８】
写真焼付部１２内に設置されたガイドレール３２には、支持板３４が水平方向（図１上、紙面に対して直交する方向）に移動可能に支持されており、前記光線の光軸線Ｓ上にそれぞれ配置されるようにプリズム３６及びズームレンズ３８がこの支持板３４に取り付けられている。
【００２９】
従って、ネガフィルムＮを透過して露光光線となった光線は、プリズム３６を通過した後、さらに拡大倍率を変更可能なズームレンズ３８を通過してイーゼル装置６４の下に位置する印画紙Ｐ上に、ネガフィルムＮの画像を結像させる。
【００３０】
また、写真焼付部１２内には、ネガフィルムＮの濃度を測定する例えば色フィルタとＣＣＤ等の光センサにより構成される濃度測定器４０が配置されており、プリズム３６により水平方向に屈曲された光線がこの濃度測定器４０に送られるようになっている。この濃度測定器４０は、制御装置としてのコントローラ４３に接続されており、濃度測定器４０によって測定されたデータ及び、作業者によりキー入力されたデータに基づいて、焼付露光時の露光補正値が設定される。
【００３１】
さらに、ズームレンズ３８とイーゼル装置６４の間の光路には、ＣＣフィルタ２４で色と強度が調光されネガフィルムＮを透過した光を、所定時間の間焼付露光するブラックシャッタ４１が設けられている。
【００３２】
図２に示すように、支持台４６に対して印画紙Ｐの搬送方向下流側には、ローラ群６５が配置されており、このローラ群６５に対して印画紙Ｐの搬送方向下流側には、印画紙Ｐの裏面に印字を行う印字ユニット６７が設けられている。
【００３３】
印字ユニット６７に対して印画紙Ｐの搬送方向下流側には、アキュムレーター８６が配置されている。アキュムレーター８６は、図示しないモーターで回転される複数の挟持ローラ８８を備えている。
【００３４】
図１に示すように、アキュムレーター８６の搬送方向下流側には、プロセッサ部７２が設けられている。
【００３５】
プロセッサ部７２の現像槽７４には現像液が溜められていて、印画紙Ｐをこの現像液に浸して現像処理を行う。現像処理された印画紙Ｐは現像槽７４と隣接する漂白定着槽７６へ搬送される。漂白定着槽７６には漂白定着液が溜められていて、印画紙Ｐをこの漂白定着液に浸して漂白処理及び定着処理を行う。定着処理された印画紙Ｐは、漂白定着槽７６に隣接すると共にそれぞれ水洗水が溜められた複数の水洗槽からなる水洗部７８へ搬送され、印画紙Ｐを水洗槽内の水洗水に浸して水洗処理を行う。なお、上記の現像槽７４、漂白定着槽７６及び水洗部７８の水洗槽は、プロセッサ部７２内に設置された複数の補充タンク９０よりそれぞれ現像補充液、漂白定着補充液及び水洗補充水が送られて、それぞれの槽内の液へ補充されるようになっている。
【００３６】
水洗処理された印画紙Ｐは水洗部７８の上部に位置する乾燥部８０へ搬送される。乾燥部８０は、印画紙Ｐの搬送経路の下側に配置されたチャンバ８２側より矢印Ｂ方向に沿って送風される熱風に印画紙Ｐをさらして、印画紙Ｐを乾燥させる。
【００３７】
乾燥部８０に対して印画紙Ｐの搬送方向下流側には複数対のローラ８３によって構成される搬送路８４が配設されており、乾燥処理が終了して乾燥部８０から排出された印画紙Ｐは、これら複数対のローラにそれぞれ挟持されてプリンタプロセッサ１０の外部へ排出される。
【００３８】
搬送路８４の印画紙Ｐの排出側にはソーター９２が設けられている。
図４及び図５に示すように、本実施例のソーター９２はベルトコンベアであり、搬送路８４の印画紙Ｐの排出側の下側に位置している。ソーター９２のベルト９４は、コントローラ４３によって制御されるモータ９６により駆動され、搬送方向が搬送路８４の排出方向と直交している。
【００３９】
また、ベルト９４には、搬送方向に沿って所定の間隔（本実施例では、並列搬送される印画紙Ｐの並列方向ピッチと同一寸法）で仕切板９８が取り付けられており、仕切板９８と仕切板９８との間は例えば１オーダー分の印画紙Ｐが集積される集積部９９となっている。
【００４０】
なお、プリンタプロセッサ１０の各部の動きはコントローラ４３によって自動制御される。
【００４１】
次に、本実施例の作用を説明する。
以下の説明は、例えば、ネガフィルムＮ１本に記録された画像を１駒に付き１枚づつプリントする際の説明である。
【００４２】
先ず、ネガフィルムＮであるが、記録されている画像には種々のアスペクト比が混在することがあり、これにあわせて印画紙Ｐの搬送方向の長さも種々混在することがある。
【００４３】
本実施例のプリンタプロセッサ１０では、印画紙Ｐの搬送方向の間隔を出来るかぎり詰めて効率良く処理を行うために、焼き付け前に画像センサでネガフィルムＮを全長に渡ってスキャンして全ての画像のアスペクト比を読み取っておき、読み取ったアスペクト比からコントローラ４３が各々の印画紙Ｐの搬送方向長さを演算すると共に、搬送パターン（焼き付けの順番及びどの印画紙Ｐをどの列に振り分けたかを示す）を演算してから焼き付け及び振り分けを開始する。
【００４４】
例えば、ネガフィルムＮに、例えば、標準サイズの画像とパノラマサイズの画像とが交互に記録されている場合、プロセッサ部７２における印画紙Ｐの搬送パターンは、図６（又は図７）に示すように、搬送方向の間隔が詰められ、かつ、搬送方向後端の順序が駒順となるように決められる（なお、図中の印画紙Ｐに記載されている数字は駒順を示し、アルファベットは焼付け順を示している。また、ダッシュが付いていない数字が付与された印画紙Ｐは最初のオーダーのものであり、ダッシュ付きの数字の付与された印画紙Ｐは次のオーダーのものを示す。）。
【００４５】
なお、画像のアスペクト比を読み取る画像センサは、プリンタプロセッサ１０の例えば、ネガキャリア３０の露光部より列数分の駒長さ以上上流に設けることが好ましい。画像センサは、プリンタプロセッサ１０以外の機器に設けられていても良い。この場合には、画像のアスペクト比を表す情報をプリンタプロセッサ１０のコントローラ４３に通信したり、ＬＳＩメモリー等に情報を一旦記録してから、このＬＳＩメモリーに記録された情報を読み出してコントローラ４３に入力すれば良い。また、画像センサを用いない場合には、オペレーターがネガフィルムＮを目視して、キーボード等からアスペクト比（プリントサイズ）を指定しても良い。
【００４６】
また、オペレーターは、所定のネガフィルムＮをネガキャリア３０にセットし、オーダー番号等をキーボードによって入力する。
【００４７】
その後、オペレーターにより所定の操作が行われると、ペーパマガジン１４から送り出された未露光の印画紙Ｐが、カッタ２２で所定の長さに切断され、無端ベルト４４に乗せられて露光光線の光軸線Ｓ上の位置である画像焼付位置へと搬送される（図３参照）。
【００４８】
次に、光源２６側からの露光光線がプリズム３６及びズームレンズ３８等を介して印画紙Ｐに到達し、ブラックシャッタ４１が所定時間開くことにより、ネガフィルムＮに記録された１駒目の画像が印画紙Ｐ上に焼付露光される。このとき、コントローラ４３には、無端ベルト４４上の印画紙Ｐに１駒目の画像が焼付露光されたことが記憶される。オーダー番号が入力されているので、これがオーダーの先頭の印画紙Ｐであることが分かる。
【００４９】
この際、支持台４６内の空気は、連通ダクト６６を介して無端ベルト４４のループ内から幅方向両端へ抜け出し、吸引ファン６８で吸引されて外部へ吹き出されるので、支持台４６内が負圧となる。この負圧は支持台４６の孔部、無端ベルト４４の小孔を介して無端ベルト４４上の印画紙Ｐへと伝達され、印画紙Ｐが無端ベルト４４へ吸引される。この為、印画紙Ｐが単に無端ベルト４４に乗せられるだけでなく、無端ベルト４４側に吸引されるので、印画紙Ｐが、確実に無端ベルト４４により搬送されると共に、画像焼付位置上で水平状態に配置されることになる。
【００５０】
画像の焼付けが終了すると、吸引ファン６８が停止して印画紙Ｐの吸引が一旦解除され、その後、吸引ファン６０が作動して吸引部５６が印画紙Ｐを吸引する。印画紙Ｐを吸引した吸引部５６は、モータ機構によって矢印Ｂ方向に移動し、印画紙Ｐを図３の想像線で示す位置に移動する。
【００５１】
矢印Ｂ方向側に印画紙Ｐが移動した後は、吸引ファン６０が停止して吸引部５６による吸引は停止し、吸引ファン６８が再び作動し、印画紙Ｐは無端ベルト４４に吸引されてアキュムレーター８６側へ搬送され、無端ベルト４４とニップローラ５４とに挟持されてアキュムレーター８６側へと送り出される。印画紙Ｐが吸引部５６から離れると、吸引部５６はモータ機構によって画像焼付位置へと戻る。
【００５２】
なお、印画紙Ｐは、画像焼付位置からアキュムレーター８６側へ搬送される途中で印字ユニット６７により裏面に印字（駒番号等）が行われる。また、次の露光を行うために、画像の焼付けられた印画紙Ｐは、画像焼付位置からアキュムレーター８６へ迅速に搬送される。
【００５３】
無端ベルト４４及びニップローラ５４から印画紙Ｐの搬送方向後端が離れると、挟持ローラ８８は印画紙Ｐの搬送方向後端の位置が図３の一点鎖線で示される停止位置ＳＬに至るまで搬送して一時停止する。なお、停止位置ＳＬには、印画紙Ｐを検出する図示しないセンサが各々の列に対応して設けられており、センサからの信号によってコントローラ４３は印画紙Ｐの搬送を制御することができる。
【００５４】
印画紙Ｐを一時停止させた後、挟持ローラ８８は直ちにプロセッサ部７２の搬送速度に合わせて印画紙Ｐを低速でプロセッサ部７２へと送り込む。
【００５５】
また、画像の焼付けられた印画紙Ｐがアキュムレーター８６へ排出されると、所定の長さにカットされた未露光の印画紙Ｐが無端ベルト４４により画像焼付位置に搬送され、２駒目の画像の焼き付け露光が行われる。このとき、コントローラ４３には、無端ベルト４４上の印画紙Ｐに２駒目の画像が焼付露光されたことが記憶される。
【００５６】
この２枚目の印画紙Ｐは、画像焼付け後に吸引部５６に吸引されて１枚目の印画紙Ｐとは反対側（矢印Ｆ方向）に移動されてからアキュムレーター８６へと搬送される。
【００５７】
以後、画像の焼き付けられた印画紙Ｐは、図６に示すように、コントローラ４３で制御される振分機構５０によって二列に振り分けられ、アキュムレーター８６を介してプロセッサ部７２へ送り込まれる。
【００５８】
印画紙Ｐは、プロセッサ部７２へ搬送されると現像、漂白定着、水洗及び乾燥の各処理が行われ、その後、搬送路８４のローラ８３に挟持搬送されて最後のローラ８３から搬送方向後端が離れることによりソーター９２のベルト９４上に落下する。
【００５９】
印画紙Ｐの後端の順番を駒番号順としたので、印画紙Ｐはベルト９４上に必ず駒番号順に落下する。
【００６０】
一方、コントローラ４３は、記憶しておいた印画紙Ｐの搬送パターンに基づいてソーター９２を制御し、ベルト９４を所定量往復移動させる。
【００６１】
例えば、図６に示す搬送パターンで印画紙Ｐが処理排出される場合、図８（Ａ）に示すように１駒目の印画紙Ｐを集積した後、矢印Ｆ方向に移動してして図８（Ｂ）に示すように２駒目の印画紙Ｐを集積する。次には、そのままの状態で図８（Ｃ）に示すように３駒目の印画紙Ｐを集積し、矢印Ｂ方向に移動して図８（Ｃ）に示すようにオーダー最後の４駒目の印画紙Ｐを集積する。
【００６２】
このとき、印画紙Ｐの集積を確実にするために、印画紙Ｐが落下する前に印画紙Ｐの排出方向に集積部９９を移動しておき、印画紙Ｐが完全に落下するまで所定時間停止させる。これにより、印画紙Ｐの幅を揃えて集積することができる。
【００６３】
オーダー最後の印画紙Ｐが集積されると、コントローラ４３はソーター９２を制御し、ベルト９４を例えば矢印Ｂ方向へ集積部９９の１ピッチ分移動し、次のオーダーの印画紙Ｐを受け取るために、集積の終えた集積部９９の隣に位置する空の集積部９９を、次のオーダーの先頭の印画紙Ｐの排出方向に配置する。
【００６４】
その後、次のオーダーの１駒目の印画紙Ｐは、図９（Ａ）に示すように隣の集積部９９に集積される。次に、矢印Ｆ方向に移動し、図９（Ｂ）に示すように２駒目の印画紙Ｐを集積し、次には、そのままの状態で図９（Ｃ）に示すように３駒目の印画紙Ｐを集積して行く。
【００６５】
次のオーダーの印画紙Ｐも、記憶しておいた印画紙Ｐの搬送パターンに基づいてベルト９４が往復移動することで駒番号順に集積される。ベルト９４は、集積部９９が印画紙Ｐを１オーダー集積する毎に所定方向（例えば矢印Ｂ方向）へ集積部９９の１ピッチ分移動して、次々とオーダー単位に印画紙Ｐを集積する。
【００６６】
なお、オーダー最後の印画紙Ｐを集積した後にベルト９４を集積部９９の１ピッチ分移動するのは、次のオーダーの先頭の印画紙Ｐの位置情報（本実施例では搬送方向後端の位置）を基にして行う。
【００６７】
印画紙Ｐの位置情報は、例えば、印画紙Ｐの搬送方向の長さ、振り分けした時間等と、搬送経路の長さ、搬送速度、搬送時間等から演算して求めることができる。
【００６８】
次に、上記のように印画紙Ｐを集積する際の、各部の搬送速度の関係を説明する。
【００６９】
図６に示すように、印画紙Ｐのプロセッサ部７２の搬送方向と直交する方向の幅をＷ、並列搬送処理する印画紙Ｐの搬送方向とは直交する方向の間隔をｔ、駒番号の隣合う印画紙の後端最小ピッチをＰ、プロセッサ部７２内の搬送処理速度をＶｄ  、１オーダーの印画紙Ｐを集積する際に往復移動するベルト９４の平均移動速度をＶＳ  、１オーダーの印画紙Ｐを集積して、次のオーダーの印画紙Ｐを受け取るために隣接する空の集積部９９を移動する際のベルト９４の平均移動速度をＶｋ  、オーダー間の印画紙Ｐの後端最小ピッチ（オーダーの最後の印画紙Ｐの後端と次のオーダーの最初の印画紙Ｐの後端とのピッチ）をＫ、振り分けする列数をｎ、としたとき、１オーダーの印画紙Ｐを集積する際に往復移動するベルト９４の平均移動速度ＶＳ  は、ＶＳ  ＞Ｖｄ  ×（ｎ−１）（ｔ＋Ｗ）／Ｐとし、１オーダーの印画紙Ｐを集積して、次のオーダーの印画紙Ｐを受け取るために隣接する空の集積部９９を移動する際のベルト９４の平均移動速度Ｖｋ  は、Ｖｋ  ＞Ｖｄ  ×｛（ｎ−１）×ｔ＋ｎＷ｝／Ｋの関係を満たすように設定する。
【００７０】
ここで、ＶＳ  がＶｄ  ×（ｎ−１）（ｔ＋Ｗ）／Ｐ以下であると、印画紙Ｐの落下位置に集積部９９を配置することが間に合わなくなり、幅を揃えて印画紙Ｐを集積することが出来なくなる。一方、Ｖｋ  がＶｄ  ×｛（ｎ−１）×ｔ＋ｎＷ｝／Ｋ以下であると、空の集積部９９を印画紙Ｐの落下位置に配置することが間に合わなくなり、仕切板９８の上に落下したり、隣の集積部９９へ落下したりすることがある。また、仕切板９８が無いような場合には、前のオーダーの印画紙Ｐに重なることもある。
【００７１】
なお、図７に示すように、最初のオーダーの最終の印画紙Ｐ（Ｃ、４）と、次のオーダーの最初の印画紙Ｐ（ｆ、１’）とが異なる列である場合には、オーダー間でベルト９４を集積部９９を移動する必要はない。
【００７２】
また、前記実施例では、ネガフィルムＮの画像を印画紙Ｐに焼き付ける例を示したが、フロッピーディスク、光磁気ディスク、ＣＤ−ＲＯＭ、フォトＣＤ、ＬＳＩメモリー等の各種記録媒体に記録された画像情報をレーザー光等で印画紙Ｐに焼き付けても良い。
【００７３】
また、画像を記録する（焼き付ける）のは、印画紙Ｐ以外の記録媒体であっても良い。
【００７４】
また、前記実施例では、印画紙Ｐを２列に振り分けて並列搬送処理を行ったが、２列以上の複数列で並列搬送処理することもできる。
【００７５】
また、図１０に示すように、集積部９９のベルト９４に仕切板９８がない場合は、例えば、幅広の印画紙Ｐを単列処理する場合にもそのまま使用でき都合が良い。なお、幅広の印画紙Ｐに合わせて仕切板９８を設けると、集積時の必要移動距離が長くなり好ましくない。
【００７６】
【発明の効果】
請求項１に記載の発明では、第２の記録媒体を複数列に振り分けて並列搬送する搬送パターンを振り分け前等に予め記憶し、記憶した搬送パターンを基にして排出方向とは交差する方向に沿って集積手段を往復移動して、搬送処理装置から排出される第２の記録媒体を集積するようにしたので、搬送処理装置の下流側に複数のゲートを設けて第２の記録媒体の排出順を制御する必要がなく、従来よりも搬送系を簡単な構造とすることができる。なお、搬送パターンの記憶、集積手段の制御等はコンピューター等の制御機器で容易に行うことができる。
【００７７】
請求項２に記載の発明では、第２の記録媒体は、搬送方向の長さが各々異なっていても、第１の記録媒体に記録された画像情報順に確実に集積できるという優れた効果を有する。
【００７８】
また、請求項３に記載の発明では、複数オーダーの第２の記録媒体を間隔を開けて集積手段に集積させることができ、オーダー間の区切りを付けることができるという優れた効果を有する。
【図面の簡単な説明】
【図１】プリンタプロセッサの内部構成を示す側面図である。
【図２】露光部及びアキュムレーターの側面図である。
【図３】露光部及びアキュムレーターの要部の平面展開図である。
【図４】ソーター部分の平面図である。
【図５】図４に示すソーター部分の矢印Ａ方向矢視図である。
【図６】印画紙を２列搬送する際の搬送パターン図である。
【図７】印画紙を２列搬送する際の他の搬送パターン図である。
【図８】（Ａ）乃至（Ｄ）は、印画紙Ｐを集積する際のソーターの動きを説明する説明図である。
【図９】（Ａ）乃至（Ｃ）は、図８（Ｄ）に続くソーターの動きを説明する説明図である。
【図１０】他の実施例に係るソーター部分の平面図である。
【符号の説明】
Ｎ    ネガフィルム（第１の記録媒体）
Ｐ    印画紙（第２の記録媒体）
２６    光源（記録手段）
３８    ズームレンズ（記録手段）
４１    ブラックシャッタ（記録手段）
４３    コントローラ
５０    振分機構（振分手段）
７４    現像槽（搬送処理装置）
７６    漂白定着槽（搬送処理装置）
７８    水洗部（搬送処理装置）
８０    乾燥部（搬送処理装置）
９４    ベルト（集積装置）
【図１】
0003617683.tif 000002
【図２】
0003617683.tif 000003
【図３】
0003617683.tif 000004
【図４】
0003617683.tif 000005
【図５】
0003617683.tif 000006
【図６】
0003617683.tif 000007
【図７】
0003617683.tif 000008
【図８】
0003617683.tif 000009
【図９】
0003617683.tif 000010
【図１０】
0003617683.tif 000011